(57)【要約】      （修正有）【課題】広い空きスペースを利用し、簡単な構造で、案内地図を表示可能な自動販売機を提供する。【解決手段】金銭の投入により商品を自動的に販売する自動販売機１であって、利用する少なくとも地図を表示する案内表示部１０を備え、案内表示部１０は、商品の販売に連動して少なくとも地図を表示可能にする構成である。【選択図】図１
2020194440.tif 000002
【特許請求の範囲】
【請求項１】
金銭の投入により商品を自動的に販売する自動販売機であって、
利用する少なくとも地図を表示する案内表示部を備え、
前記案内表示部は、
前記商品の販売に連動して少なくとも地図を表示可能にする構成であることを特徴とする自動販売機。
【請求項２】
金銭の投入により商品を自動的に販売する制御部を備え、
前記制御部は、
所定金額の投入から所定時間だけ、少なくとも地図を表示可能にすることを特徴とする請求項１に記載の自動販売機。
【請求項３】
前記制御部は、
少なくとも地図を表示しない時間は、広告の表示を行う構成であることを特徴とする請求項１または請求項２に記載の自動販売機。
【請求項４】
前記制御部は、
選択される言語により少なくとも地図を表示可能な構成であることを特徴とする請求項１乃至請求項３のいずれか１項に記載の自動販売機。
【請求項５】
前記制御部は、
緊急災害情報を、少なくとも地図の表示に対して優先して表示可能な構成であることを特徴とする請求項１乃至請求項４のいずれか１項に記載の自動販売機。
【請求項６】
前記制御部は、
緊急災害情報を、記憶媒体に出力可能な構成であることを特徴とする請求項１乃至請求項５のいずれか１項に記載の自動販売機。
【発明の詳細な説明】
【技術分野】
【０００１】
この発明は、缶ジュース、缶コーヒーなどの商品を販売する自動販売機に関する。
【背景技術】
【０００２】
従来から町内には、種々の場所に、自動販売機や案内表示板が設置されている。この自動販売機は、例えば、通行人が必要に応じて、缶ジュース、缶コーヒーなどの商品を購入できるようにしている。また、案内表示板は、例えば、町内に始めて来た者や地域に不慣れな者に、地域の町並みを紹介し、さらには地域の者に非常時の避難場所の案内や、緊急時の警察署・病院等を日々の掲載を通じて、利用する地図を表示するようにしている。
【０００３】
この案内表示板には、一般には、樹脂板に印刷により案内を表示したものが用いられている。また、例えば、案内を表示した透光性の樹脂板を背後から照らせる内照ランプを設けたもの、液晶表示パネルにより案内板を構成するものなどもある（特許文献１）。
【先行技術文献】
【特許文献】
【０００４】
【特許文献１】特開平５−２６４９７７号公報
【発明の概要】
【発明が解決しようとする課題】
【０００５】
ところで、町内に設置される案内表示板は、設置する場所に制限があり、自動販売機と比較して設置される個数が少なく、特に、始めて来た者や地域に不慣れな者に対して十分に案内する表示となっていなかった。
【０００６】
また、自動販売機は、極力通行人の注意を惹きやすい場所に設置されるが、自動販売機には、缶ジュース、缶コーヒーなどの商品を購入できるように表示するスペースやコイン投入スペースなどを確保すればよく、表面側に広い空きスペースがある。
【０００７】
この発明は、かかる点に鑑みてなされたもので、広い空きスペースを利用し、簡単な構造で、案内地図を表示可能にした自動販売機を提供することを目的とする。
【課題を解決するための手段】
【０００８】
前記課題を解決し、かつ目的を達成するために、この発明は、以下のように構成した。
【０００９】
請求項１に記載の発明は、金銭の投入により商品を自動的に販売する自動販売機であって、
利用する少なくとも地図を表示する案内表示部を備え、
前記案内表示部は、
前記商品の販売に連動して少なくとも地図を表示可能にする構成であることを特徴とする自動販売機である。
【００１０】
請求項２に記載の発明は、金銭の投入により商品を自動的に販売する制御部を備え、
前記制御部は、
所定金額の投入から所定時間だけ、少なくとも地図を表示可能にすることを特徴とする請求項１に記載の自動販売機である。
【００１１】
請求項３に記載の発明は、前記制御部は、
少なくとも地図を表示しない時間は、広告の表示を行う構成であることを特徴とする請求項１または請求項２に記載の自動販売機である。
【００１２】
請求項４に記載の発明は、前記制御部は、
選択される言語により少なくとも地図を表示可能な構成であることを特徴とする請求項１乃至請求項３のいずれか１項に記載の自動販売機である。
【００１３】
請求項５に記載の発明は、前記制御部は、
緊急災害情報を、少なくとも地図の表示に対して優先して表示可能な構成であることを特徴とする請求項１乃至請求項４のいずれか１項に記載の自動販売機である。
【００１４】
請求項６に記載の発明は、前記制御部は、
緊急災害情報を、記憶媒体に出力可能な構成であることを特徴とする請求項１乃至請求項５のいずれか１項に記載の自動販売機である。
【発明の効果】
【００１５】
前記構成により、この発明は、以下のような効果を有する。
【００１６】
請求項１乃至請求項６に記載の発明では、金銭の投入により商品を自動的に販売する自動販売機であって、利用する地図を表示する案内表示部を備え、案内表示部は、商品の販売に連動して少なくとも地図を表示可能にする構成であることで、自動販売機の広い空きスペースを利用し、簡単な構造で、案内地図が表示可能である。
【図面の簡単な説明】
【００１７】
【図１】自動販売機の斜視図である。
【図２】案内表示部の案内表示を示す図である。
【図３】制御部の構成を示す図である。
【図４】他の実施の形態の案内表示部の案内表示を示す図である。
【図５】他の実施の形態の制御部の構成を示す図である。
【発明を実施するための形態】
【００１８】
以下、この発明の自動販売機の実施の形態について説明する。この発明の実施の形態は、発明の最も好ましい形態を示すものであり、この発明はこれに限定されない。
【００１９】
（第１の実施の形態）
この実施の形態の自動販売機を、図１乃至図３に基づいて説明する。図１は自動販売機の斜視図、図２は案内表示部の案内表示を示す図、図３は制御部の構成を示す図である。
【００２０】
この実施の形態の自動販売機１は、商品補充のために開閉自在に設けられた前面扉３０を有し、その上部には、複数個の円筒状のダミー体（細缶タイプ）３１、ダミー体（太缶タイプ）３２を展示するための展示室３３が上下二段に設けられており、また、各ダミー体３１，３２に関連づけて商品選択用の押しボタン３４が配設され、かつ、前面扉３０の下部側には商品取り出し口３５が設けられている。
【００２１】
前面扉３０には、さらに金銭投入口３６、釣銭口３７及び金銭返却用の操作レバー３８が設けられている。
【００２２】
この実施の形態の自動販売機１は、案内表示部１０と制御部２０を備える。案内表示部１０は、案内表示パネル１１に、例えば、当地に始めて来た者や地域に不慣れな者に、地域の町並みを紹介し、さらには地域の者に非常時の避難場所の案内や、緊急時の警察署・病院等を日々の掲載を通じて、利用する地図を表示する。
【００２３】
案内表示パネル１１は、案内を表示した透光性の樹脂板を背後から照らせる内照ランプを設けたもの、液晶表示パネルにより構成するものなどが用いられる。
【００２４】
案内表示パネル１１には、図２（ａ）に示す地図、図２（ｂ）に示す地図が表示されるが、これに限定されない。図２（ａ）の地図は、現実に近い地図であり、図２（ｂ）の地図は、見やすいように簡略化した地図である。
【００２５】
制御部２０は、金銭投入口３６から金銭が投入された状態で、商品選択用の押しボタン３４が操作されると、選択された商品を商品取り出し口３５に取り出し可能にし、かつ案内表示部１０を制御し、案内表示パネル１１に地図を表示する。
【００２６】
この制御部２０は、所定金額の投入により、缶ジュース、缶コーヒーなどの商品を販売可能にし、かつ案内表示部１０の制御で所定時間だけ、案内表示パネル１１に地図を表示し、地図を表示しない時間は、広告の表示を行う構成である。広告としては、例えば商品の広告、あるいはホテルなどの広告である。この広告は、所定時間経過すると、順次広告が変わるようにしてもよい。
【００２７】
この所定時間は、特に限定されないが、利用者が案内表示パネル１１に表示された地図を見て、行き先を確認することが可能な時間とする。
【００２８】
このように、例えば商品の広告、あるいはホテルなどの広告では、利用者から広告料を得ることができ、このように宣伝広告など行った場合、一部を例えば公的機関などに寄付することが好ましい。
【００２９】
（第２の実施の形態）
この実施の形態の自動販売機を、図４に基づいて説明する。図４は案内表示部の案内表示を示す図である。
【００３０】
この実施の形態の制御部２０は、案内表示部１０を制御して案内表示パネル１１に地図を表示する共に、近隣の名称表示枠１１ａ、避難場所案内枠１１ｂ、緊急時の公共機関案内枠１１ｃを表示する。
【００３１】
近隣の名称表示枠１１ａに、例えば公園、寺院、美術館、ホテルなどの近隣の名称を表示し、避難場所案内枠１１ｂに、例えば公園、学校などの避難場所を表示し、緊急時の公共機関案内枠１１ｃに、例えば市役所などの地方公共団体、警察の派出所などの公共機関を表示する。
【００３２】
（第３の実施の形態）
この実施の形態の自動販売機を、図５に基づいて説明する。図５は制御部の構成を示す図である。
【００３３】
この実施の形態では、前面扉３０に言語選択ボタン５０を設け、言語選択ボタン５０を操作すると、制御部２０は案内表示部１０を制御して案内表示パネル１１に選択される言語により地図を表示する。
【００３４】
選択される言語は、例えば日本語、英語、中国語、韓国語、ドイツ語、フランス語などに言語である。このように、制御部２０は、選択される言語により地図を表示可能な構成であり、日本を訪れる外国人に応じて利用する地図を表示することができる。
【００３５】
この実施の形態の制御部２０には、気象庁や消防庁などから緊急災害情報６０が送られ、制御部２０は、案内表示部１０を制御して案内表示パネル１１に緊急災害情報を優先して表示する。
【００３６】
このように、制御部２０は、緊急災害情報を、少なくとも地図の表示に対して優先して表示可能な構成であることで、地域の有効な災害対策として用いることができる。
【００３７】
また、この実施の形態の前面扉３０には、緊急災害情報を出力する情報出力部７０が設けられる。情報出力部７０には、記憶媒体７１が差し込み可能に構成される。記憶媒体７１としては、例えばＵＳＢを用い、非常時にＵＳＢを情報出力部７０に差し込み緊急災害情報を得ることができる。
【産業上の利用可能性】
【００３８】
この発明は、缶ジュース、缶コーヒーなどの商品を販売する自動販売機に適用可能であり、広い空きスペースを利用し、簡単な構造で、案内地図を表示可能である。
【符号の説明】
【００３９】
１  自動販売機
１０  案内表示部
１１  案内表示パネル
２０  制御部
３０  前面扉
３１，３２  ダミー体
３３  展示室
３４  商品選択用の押しボタン
３５  商品取り出し
３６  金銭投入口
３７  釣銭口
３８  金銭返却用の操作レバー
５０  言語選択ボタン
６０  緊急災害情報
７０  情報出力部
７１  記憶媒体
【図１】
2020194440.tif 000003
【図２】
2020194440.tif 000004
【図３】
2020194440.tif 000005
【図４】
2020194440.tif 000006
【図５】
2020194440.tif 000007